(57)【要約】【課題】入浴によってリラクセイション効果やマイナスイオンによる健康増進効果を享受でき、退室すると室内の湯気を晴らし、湯気が脱衣室に逃れることによる黴発生の問題等を解消できるようにする。【解決手段】入浴中は室内にマイナスイオンを放出させるイオン発生装置１と、入浴者が退室すると上記イオン発生装置１の電極３、４の極性を切り換える制御装置５とを備えて形成する。入浴者の入退室を検出して検出信号を制御装置５に出力するセンサ６を備えて形成するのが好ましい。【選択図】　　　図１
2004033397.tif 000002
【特許請求の範囲】
【請求項１】
入浴中は室内にマイナスイオンを放出させるイオン発生装置と、入浴者が退室すると上記イオン発生装置の電極の極性を切り換える制御装置とを備えて形成されていることを特徴とする浴室。
【請求項２】
請求項１記載の浴室であって、入浴者の入退室を検出して検出信号を制御装置に出力するセンサを備えて形成されていることを特徴とする浴室。
【請求項３】
請求項１又は２記載の浴室であって、外気を室内に導入するための吸気ファンの吸気口が室内の上部に設けられ、室内の空気を除去するための排気ファンの排気口が浴槽のエプロンに設けられていることを特徴とする浴室。
【請求項４】
請求項３記載の浴室であって、吸気ファンに、外気から浮遊菌類を除去するためのフィルタが設けられていることを特徴とする浴室。
【請求項５】
請求項１又は２記載の浴室であって、入浴中は室内空気を循環させ、入浴者が退室すると室内を換気する換気装置を備えて形成されていることを特徴とする浴室。
【請求項６】
請求項５記載の浴室であって、換気装置に、外気から浮遊菌類を除去するためのフィルタが設けられていることを特徴とする浴室。
【発明の詳細な説明】
【０００１】
【発明の属する技術分野】
本発明は、浴室に関し、更に詳しくは室内雰囲気の物性を変え、入浴環境を快適化できるよう形成した浴室に関するものである。
【０００２】
【従来の技術】
ところで人体を構成する細胞は、細胞膜で包まれ、各細胞は細胞膜を通して栄養の吸収や、老廃物の排出を行っている。この細胞は、プラスイオン、マイナスイオンの電子を帯び、マイナスイオンは血液の浄化を行い、酸性化している血液を弱アルカリ性にする。従ってマイナスイオンは、栄養分の吸収や老廃物の排出を促進し、新陳代謝を良くし、生理機能、生命力、活動力を高める。
それ故浴室内にこの種のマイナスイオンを放出させると、入浴によってリラクセイション（くつろぎ、息抜き）効果と共に、健康増進効果をも得られるものである。
【０００３】
そこで従来、例えば循環ポンプや濾過手段、加熱器等を収納した浴水循環浄化装置（いわゆる２４時間風呂）に、マイナスイオン発生器を設けたり、或いはフィルタで清浄化した空気にマイナスイオンを含ませることができるよう、換気扇に、マイナスイオン発生装置を設けたものがある（例えば特開２００１−２６３７４２号公報、特開２００１−１３３００５号公報参照）。
【０００４】
【発明が解決しようとする課題】
而して従来例の場合は、上記の通り、浴水循環浄化装置や換気扇にマイナスイオン発生装置が付設され、これらの機器の運転時に限ってマイナスイオンが発生するのに過ぎなかった。換言すると、従来例は、浴室内に人がいるか否かとは関係なく、通常、浴水循環浄化装置や換気扇が運転されると、マイナスイオンが発生したから、従来例によると、例えば入浴者がいない間のマイナスイオン発生に伴う電力消費のロス等の問題があった。
【０００５】
又従来例は、浴室内に、主としてマイナスイオンを発生させるものであったから、いわゆる消霧効果を得られなかった。
即ち、コロナ放電で電子が放出されると、この電子が空気分子（窒素分子、酸素分子等）に衝突、付着し、これにより空気分子が正負に帯電する。浴室内でこの現象が起きると、最初にできる正負のイオンは、直ちに浴室内に浮遊する湯気粒子（水分子）に付着し帯電する。従ってマイナスイオンが浴室内に発生しただけでは、浴室内の湯気粒子を他の湯気粒子と結合させて水滴化させ、湯気を晴らす効果（消霧効果）を得られない。
【０００６】
本発明は、このような従来の実情に鑑み、提案されたものである。
従って本発明の技術的課題は、入浴によってリラクセイション効果やマイナスイオンによる健康増進効果を享受でき、退室すると室内の湯気を晴らし、湯気が脱衣室に逃れることによる黴発生の問題等を解消できるよう形成した浴室を提供することにある。
【０００７】
【課題を解決するための手段】
本発明は、上記の課題を解決するために、次のような技術的手段を採る。
【０００８】
即ち本発明は、図１等に示されるように、入浴中は室内にマイナスイオンを放出させるイオン発生装置１と、入浴者が退室すると上記イオン発生装置１の電極３、４の極性を切り換える制御装置５とを備えて形成されていることを特徴とする（請求項１）。
【０００９】
イオン発生装置１は、例えば天井の裏側等に設けられる。本発明の場合、電極３、４の形状、構造等は任意である。又制御装置５としては、例えばマイコンやシーケンサー等がある。
【００１０】
又本発明は、入浴者の入退室を検出して検出信号を制御装置５に出力するセンサ６を備えて形成されているのが好ましい（請求項２）。
【００１１】
なぜならこの場合は、例えば手動スイッチを押してイオン発生装置１を制御する場合に比べ、煩雑さが無くなり、運転を確実且つ楽にでき、使い勝手を向上させることができるからである。
【００１２】
又本発明は、図３に示されるように、外気を室内に導入するための吸気ファン７の吸気口７ａが室内の上部に設けられ、室内の空気を除去するための排気ファン８の排気口８ａが浴槽９のエプロン９ａに設けられているのが好ましい（請求項３）。
【００１３】
なぜならこの場合は、室内の上部の暖気に外気を直ぐに混合させることができ、又低い位置から冷たい空気を排気でき、室内雰囲気を、迅速、円滑に調和できるからである。又この場合は、エプロン９ａに排気口８ａが形成されているから、室内の端から排気口８ａまでの距離を、例えば排気口８ａを特定の側壁パネルに設ける場合より等分化でき、その分、円滑に排気できるからである。
【００１４】
又本発明は、図３に示されるように、上記の吸気ファン７に、外気から浮遊菌類を除去するためのフィルタ１０が設けられているのが好ましい（請求項４）。
【００１５】
なぜならこの場合は、吸気ファン７の運転時に浮遊菌類としての黴など変形菌、真菌類を除去でき、室内に黴が生えることを防止でき、室内を衛生的に維持できるからである。
【００１６】
又本発明は、図４に示されるように、入浴中は室内空気を循環させ、入浴者が退室すると室内を換気する換気装置１２を備えて形成されているのが好ましい（請求項５）。
【００１７】
なぜならこれによると、室内空気を循環させることができるから、マイナスイオンによる効果を得られ易くなり、又退室時は空気の入れ換えによって衛生的に室内を維持でき、次の入浴者に快適な入浴環境を提供できるからである。
【００１８】
又この本発明の場合は、上記の換気装置１２に、図４に示されるように、外気から浮遊菌類を除去するためのフィルタ１０が設けられているのが好ましい（請求項６）。
【００１９】
なぜならこの場合は、換気装置１２を運転することにより、浮遊菌類としての黴などの菌を除去でき、黴の発生を防止でき、室内を衛生的に維持できるからである。
【００２０】
【発明の実施の形態】
以下、本発明の好適な一実施形態を添付図面に従って説明する。
【００２１】
図１において、１は、入浴中、室内にマイナスイオンを放出させるイオン発生装置である。このイオン発生装置１は、例えば天井の裏側等に設けられ、１２Ｖの直流電源２で作動する。又このイオン発生装置１のイオン発生部１ａは、室内に臨まれて設けられ、一方の電極３はステンレスで針状に形成され、他方の電極４はリング状や板状に形成されている。
【００２２】
５は、入浴者が退室すると上記イオン発生装置１の電極３、４の極性を切り換える制御装置である。又６は、入浴者の入退室を検出して検出信号を上記の制御装置５に出力するセンサである。制御装置５は例えばマイコンで構成され、センサ６は例えば人体から出る赤外線を検出し、入浴者の入退室に応じて検出信号を制御装置５に出力するよう構成されている。制御装置５は、このセンサ６からの検出信号を受けると、イオン発生装置１に内蔵されているリレー１ｂを制御し、これにより接点が切り換えられ、電極３、４の極性が変更されるよう構成されている。
【００２３】
次に本発明の作用を、図１、図２に従って説明する。
【００２４】
先ず入浴者が入室するとセンサ６がＯＮになり、この検出信号を受けて制御装置５からイオン発生装置１に信号が送られる。この信号を受けると、イオン発生部１ａの電極３、４に高電圧が印加される。これにより電極３、４間にコロナ放電が起こり、マイナスイオンが発生し室内に放出される。室内の雰囲気が、マイナスイオンを帯びることにより、入浴者は快適でリラックスな気分を味わうことができる。
【００２５】
又入浴者が退室すると、センサ６からの信号を受けて制御装置５からイオン発生装置１のリレー１ｂに信号が送られる。これによりリレー１ｂが作動して接点を切り換え、電極３、４の極性が一定時間変更される。なおこの実施形態の場合は、一定時間が経過する前に次の人が入浴（入室）すると、イオン発生装置１からマイナスイオンが発生する。
【００２６】
而して電極３、４が切り換えられると、マイナスイオン雰囲気下の室内に、プラスイオンが加わり、湯気粒子を水滴化し、湯気を晴らす。即ち、先ず比較的大きな湯気粒子にマイナスイオンが付着すると、電界によってこの粒子が加速される。この加速された湯気粒子は、他の湯気粒子と衝突、併合を繰り返しながら粒径を増していく。そしてある程度の大きさに成長すると、重力の影響を受け自由落下する。一方、小さな湯気粒子は、大きな湯気粒子に比べて高い密度でイオンが集まり易い。従ってイオンが集まって湯気粒子の電荷密度が高くなると、電気的な反発力が強まり、この反発力が湯気粒子の表面張力を上回ると、湯気粒子はその大きさを維持できなくなり、より小さな湯気粒子に分裂し蒸発する。この結果、湯気が晴れる。
【００２７】
以上の処において、本発明は、図３に示されるように、外気を室内に導入するための吸気ファン７の吸気口７ａが室内の上部に設けられ、室内の空気を除去するための排気ファン８の排気口８ａが浴槽９のエプロン９ａに設けられているのでも良い。
【００２８】
この実施形態の場合、吸気ファン７は天井の裏側に配置され、吸気口７ａは天井に設けられている。又この実施形態の本発明の場合は、この吸気ファン７に、外気から浮遊菌類を除去するためのフィルタ１０が設けられている。又上記の排気ファン８は、この実施形態では浴槽９の側壁９ｂに対応する浴室壁１１等に設けられている。なお吸気ファン７の吸気口７ａ、排気ファン８の排気口８ａは、例えばルーバーを備えて形成されている。この実施形態の場合、入浴者が退室すると、センサ６からの信号を受けて制御装置５から吸気ファン７と排気ファン８に運転信号が送られ、これにより外気が室内に導入されると共に、排気口８ａを介して室内が排気される。
【００２９】
又本発明は、図４、図５に示されるように、入浴中は室内空気を循環させ、入浴者が退室すると室内を換気する換気装置１２を備えて形成されているのでも良い。この実施形態の場合、上記の換気装置１２は、室内空気を循環させるための循環用ファン１２ａ、室内の空気を入れ換えるための換気用ファン１２ｂとを備えて形成されている。換気用ファン１２ｂの吸込み側には、外気から浮遊菌類を除去するためのフィルタ１０が設けられている。この本発明の場合は、入浴中は循環用ファン１２ａが駆動して室内空気を循環させる。そして入浴者が退室すると、制御装置５が換気用ファン１２ｂを駆動させ、室内の空気を入れ換える。
【００３０】
又上例ではセンサ６が入浴者の入退室を検出してイオン発生装置１を制御するよう構成されているが、本発明はこれに限定されるものではない。即ち本発明は、図４に示されるように、センサ６の代わりにスイッチ１３を備え、入浴者が入退室時にこのスイッチ１３を操作してイオン発生装置１を制御するよう構成されているのでも良い。又本発明は、入退室の何れか一方をセンサで検出し、センサとスイッチとを併用するよう構成されているのでも良い。
【００３１】
【発明の効果】
以上説明したように本発明は、入浴者の入退室状態に関連付けてイオン発生装置を講じているものである。
従って本発明によれば、入浴者に、リラクセイション効果やマイナスイオンによる健康増進効果を与えることができ、又退室後に湯気を消し去ることができるから、例えば湯気が脱衣室に逃れることによる黴発生の問題等を解消できる。
【図面の簡単な説明】
【図１】本発明の浴室の好適な一実施形態を示す構成図である。
【図２】同上浴室の作用を説明するための流れ図である。
【図３】同上浴室の他の実施形態を示す構成図である。
【図４】同上浴室の他の実施形態を示す構成図である。
【図５】図４の実施形態に係る本発明の作用を説明するための流れ図である。
【符号の説明】
１　　イオン発生装置
３　　一方の電極
４　　他方の電極
５　　制御装置
【図１】
2004033397.tif 000003
【図２】
2004033397.tif 000004
【図３】
2004033397.tif 000005
【図４】
2004033397.tif 000006
【図５】
2004033397.tif 000007